(57)【要約】【課題】塗装面に壁材の引き伸ばし方向に延びる筋が形成されることを低減することが可能な鏝板及びそれを用いた左官鏝を提供する。【解決手段】左官鏝に用いられる鏝板１Ａであって、平板状に形成されており、平面視において、基端辺１１と、先端辺１２と、第１頂部１３と、第２頂部１４と、第１逃げ辺１５及び第１側辺１６と、第２逃げ辺１７及び第２側辺１８と、を有する形状に形成されており、第１逃げ辺１５が、第１側辺１６との接続点である第１接続点１９から基端辺１１の他端側に曲がった後、直線状に第１頂部１３まで延びるとともに、第２逃げ辺１７が、第２側辺１８との接続点である第２接続点２０から基端辺１１の一端側に曲がった後、直線状に第２頂部１４まで延びており、且つ、第１頂部１３が基端辺１１の一端に直接接続されるとともに第２頂部１４が基端辺１１の他端に直接接続されている。【選択図】図２
2019120011.tif 000002
【特許請求の範囲】
【請求項１】
左官鏝に用いられる鏝板であって、
平板状に形成されており、
平面視において、
直線状の基端辺と、前記基端辺に対向するように延在する先端辺と、第１頂部と、第２頂部と、前記第１頂部から前記先端辺の一端へ順に接続されて延びる第１逃げ辺及び第１側辺と、前記第２頂部から前記先端辺の他端へ順に接続されて延びる第２逃げ辺及び第２側辺と、を有する形状に形成されており、
前記第１側辺及び前記第２側辺がそれぞれ直線状に延在しており、
前記第１側辺が、当該第１側辺と前記第１逃げ辺との接続点である第１接続点を通る前記基端辺に垂直な第１垂直線と一致するか当該第１垂直線に対し当該基端辺の他端側に傾斜しており、
前記第２側辺が、当該第２側辺と前記第２逃げ辺との接続点である第２接続点を通る前記基端辺に垂直な第２垂直線と一致するか当該第２垂直線に対し当該基端辺の一端側に傾斜しており、
前記第１逃げ辺が、前記第１接続点から前記基端辺の他端側に曲がった後、直線状に前記第１頂部まで延びるとともに、前記第２逃げ辺が前記第２接続点から前記基端辺の一端側に曲がった後、直線状に前記第２頂部まで延びており、且つ、
前記第１頂部が前記基端辺の一端に直接接続されるとともに前記第２頂部が前記基端辺の他端に直接接続されているか、又は前記第１頂部が前記基端辺の一端に第３逃げ辺によって接続されるとともに前記第２頂部が前記基端辺の他端に第４逃げ辺によって接続されており、
前記第１頂部が前記基端辺の一端に第３逃げ辺によって接続されるとともに前記第２頂部が前記基端辺の他端に第４逃げ辺によって接続されている場合、前記第３逃げ辺が前記基端辺の一端から前記先端辺側に曲った後、前記第１頂部まで直線状に延びるとともに、前記第４逃げ辺が前記基端辺の他端から前記先端辺側に曲った後、前記第２頂部まで直線状に延びている、鏝板。
【請求項２】
平面視において、前記第１側辺が前記第１垂直線に対し前記基端辺の他端側に、０．５度乃至１５度傾斜しており、且つ、前記第２側辺が前記第２垂直線に対し前記基端辺の一端側に０．５度乃至１５度傾斜している、請求項１に記載の鏝板。
【請求項３】
平面視において、前記基端辺に平行な方向における、前記第１逃げ辺の両端間の距離が、０．３ｍｍ乃至５ｍｍであり、且つ、前記基端辺に平行な方向における、前記第２逃げ辺の両端間の距離が、０．３ｍｍ乃至５ｍｍである、請求項２に記載の鏝板。
【請求項４】
平面視において、前記基端辺に垂直な方向における、前記第１逃げ辺の両端間の距離が３ｍｍ乃至３０ｍｍであり、且つ、前記基端辺に垂直な方向における、前記第２逃げ辺の両端間の距離が３ｍｍ乃至３０ｍｍである、請求項３に記載の鏝板。
【請求項５】
平面視において、前記基端辺に垂直な方向における、前記第３逃げ辺の両端間の距離が、０．３ｍｍ乃至５ｍｍであり、且つ、前記基端辺に垂直な方向における、前記第４逃げ辺の両端間の距離が、０．３ｍｍ乃至５ｍｍである、請求項４に記載の鏝板。
【請求項６】
平面視において、前記基端辺に平行な方向における、前記第３逃げ辺の両端間の距離が３ｍｍ乃至３０ｍｍであり、且つ、前記基端辺に平行な方向における、前記第４逃げ辺の両端間の距離が３ｍｍ乃至３０ｍｍである、請求項５に記載の鏝板。
【請求項７】
平面視において、前記基端辺を２等分する当該基端辺に垂直な直線について対称である、請求項１乃至６のいずれかに記載の鏝板。
【請求項８】
請求項１乃至７のいずれかに記載された鏝板が、連結部材によって柄に連結されている、左官鏝。
【発明の詳細な説明】
【技術分野】
【０００１】
本発明は、鏝板及びそれを用いた左官鏝に関する。
【背景技術】
【０００２】
従来から、中塗り用又は仕上げ用の左官鏝が知られている（例えば特許文献１参照）。これらの左官鏝の鏝板は、平板状に形成されていて、後端（基端）の両側に角張った角部を有する。この角部によって、施工対象である壁の隅に壁材を隈なく塗り付けることができる。
【先行技術文献】
【特許文献】
【０００３】
【特許文献１】特開２０１６−０１４２８５号公開公報
【発明の概要】
【発明が解決しようとする課題】
【０００４】
しかしながら、上記従来の左官鏝を用いて壁塗り作業を行うと、鏝板の後端の角部によって、塗装面に、壁材の引き伸ばし方向（塗装方向）に延びる筋が形成されるという問題があった。
【０００５】
本発明は、このような課題を解決するためになされたものであり、塗装面に壁材の引き伸ばし方向に延びる筋が形成されることを低減することが可能な鏝板及びそれを用いた左官鏝を提供することを目的とする。
【課題を解決するための手段】
【０００６】
上記課題を解決するために、本発明のある態様（aspect）に係る鏝板は、左官鏝に用いられる鏝板であって、平板状に形成されており、平面視において、直線状の基端辺と、前記基端辺に対向するように延在する先端辺と、第１頂部と、第２頂部と、前記第１頂部から前記先端辺の一端へ順に接続されて延びる第１逃げ辺及び第１側辺と、前記第２頂部から前記先端辺の他端へ順に接続されて延びる第２逃げ辺及び第２側辺と、を有する形状に形成されており、前記第１側辺及び前記第２側辺がそれぞれ直線状に延在しており、前記第１側辺が、当該第１側辺と前記第１逃げ辺との接続点である第１接続点を通る前記基端辺に垂直な第１垂直線と一致するか当該第１垂直線に対し当該基端辺の他端側に傾斜しており、前記第２側辺が、当該第２側辺と前記第２逃げ辺との接続点である第２接続点を通る前記基端辺に垂直な第２垂直線と一致するか当該第２垂直線に対し当該基端辺の一端側に傾斜しており、前記第１逃げ辺が、前記第１接続点から前記基端辺の他端側に曲がった後直線状に前記第１頂部まで延びるとともに前記第２逃げ辺が前記第２接続点から前記基端辺の一端側に曲がった後直線状に前記第２頂部まで延びており、且つ、前記第１頂部が前記基端辺の一端に直接接続されるとともに前記第２頂部が前記基端辺の他端に直接接続されているか、又は前記第１頂部が前記基端辺の一端に第３逃げ辺によって接続されるとともに前記第２頂部が前記基端辺の他端に第４逃げ辺によって接続されており、前記第１頂部が前記基端辺の一端に第３逃げ辺によって接続されるとともに前記第２頂部が前記基端辺の他端に第４逃げ辺によって接続されている場合、前記第３逃げ辺が前記基端辺の一端から前記先端辺側に曲った後、前記第１頂部まで直線状に延びるとともに、前記第４逃げ辺が前記基端辺の他端から前記先端辺側に曲った後、前記第２頂部まで直線状に延びている。ここで、「頂部」は、鏝板の角部（隅部）を意味する。「頂部」は、面取されている角部と面取りされていない角部との双方を含む。頂部は、頂点を含む。面取りされていない場合、頂部は点になる。面取りは、直線でも曲線でも構わない。「直線状」は、「幾何学上の直線」の他、「目視で直線に見える曲線（例えば、中心角の非常に小さい円弧）」を含む。
【０００７】
この構成によれば、鏝板が平板状に形成されるとともに、平面視において、直線状の基端辺と、基端辺に対向するように延在する先端辺と、第１頂部と、第２頂部と、第１頂部から先端辺の一端へ順に接続されて延びる第１逃げ辺及び第１側辺と、第２頂部から先端辺の他端へ順に接続されて延びる第２逃げ辺及び第２側辺と、を有する形状に形成されている。そして、第１側辺及び第２側辺がそれぞれ直線状に延在していて、第１側辺が、当該第１側辺と前記第１逃げ辺との接続点である第１接続点を通る基端辺に垂直な第１垂直線と一致するか当該第１垂直線に対し当該基端辺の他端側に傾斜しており、第２側辺が、当該第２側辺と第２逃げ辺との接続点である第２接続点を通る基端辺に垂直な第２垂直線と一致するか当該第２垂直線に対し当該基端辺の一端側に傾斜している。そして、第１逃げ辺が、第１接続点から基端辺の他端側に曲がった後直線状に第１頂部まで延びるとともに第２逃げ辺が第２接続点から基端辺の一端側に曲がった後直線状に第２頂部まで延びている。そして、鏝板の基端部の両端に第１頂部及び第２頂部が位置し、基端辺の両端が第１頂部の頂点及び第２頂部に、それぞれ、直接又は第３逃げ辺及び第４逃げ辺によって接続されている。
【０００８】
従って、鏝板は、先端辺の両端を結ぶ直線と先端辺とによって囲まれる領域を除く部分（以下、主塗装部という）が、矩形状又は台形状に形成されている。この鏝板が、鏝板の基端から先端に向かう方向が柄の後端から前端に向かう方向となるように連結部材によって柄に連結されて左官鏝が作成される。
【０００９】
ここで、第１側辺が、直線状に延在していて、且つ当該第１側辺と第１逃げ辺との接続点である第１接続点を通る基端辺に垂直な第１垂直線と一致するか第１垂直線に対し基端辺の他端側に傾斜しており、且つ第２側辺が、直線状に延在していて、且つ第２側辺と第２逃げ辺との接続点である第２接続点を通る基端辺に垂直な第２垂直線と一致するか第２垂直線に対し基端辺の一端側に傾斜しているという構成は、鏝板が、少なくとも、壁の中塗り及び仕上げ塗りを行うことが可能な鏝板であることを規定する構成である。この構成を備える理由は、本発明は、壁の中塗り及び仕上げ塗りに固有な課題を解決することが目的であり、他の用途の鏝板には本発明の課題は問題にならないからである。
【００１０】
また、この構成によって、鏝板が、少なくとも、壁の中塗り及び仕上げ塗りを行うことが可能な鏝板であると規定される理由は、以下の通りである。
【００１１】
第１に、この左官鏝を用いて壁塗り作業を行う場合、作業者は、壁塗り作業時に、壁材の塗装方向（引き伸ばし方向）において、第１側辺及び第２側辺のうちの前側の側辺が後側の側辺より塗装対象面から若干大きく離れるように鏝板を傾け、後側の側辺と塗装対象面との間に所望の隙間を有するようにして左官鏝を移動させる。これにより、壁材を所望の厚みに塗装する（引き延ばす）ことができる。それ故、第１側辺及び第２側辺が直線状でないと、後側の側辺と塗装対象面との間の隙間が側辺の長手方向において一定にならず、ひいては、塗装された壁材の厚みが一定にならないからである。
【００１２】
第２に、壁塗り作業は、左官鏝を、その左右方向に直線的に移動させる鏝操作の前後に、鏝板の先端側を、基端側に対し左右に回転させる鏝操作を伴う。一方、左官鏝の柄は鏝板の基端辺に垂直な方向に延在している。このため、第１側辺が、当該第１側辺と第１逃げ辺との接続点である第１接続点を通る基端辺に垂直な第１垂直線と一致するか第１垂直線に対し基端辺の他端側に傾斜していて、且つ第２側辺が、当該第２側辺と第２逃げ辺との接続点である第２接続点を通る基端辺に垂直な第２垂直線と一致するか第２垂直線に対し基端辺の一端側に傾斜していないと、鏝板の先端側を十分に回転させることができないからである。
【００１３】
ところで、上述の壁塗り作業を行う場合、前方に傾いた鏝板の底面と塗装対象面との間に壁材が保持され、且つ、その壁材の一部が鏝板の後側の側辺と塗装対象面との間の隙間から流出することによって、当該壁材が塗装対象面に塗装される。一方、鏝板の底面と塗装対象面との間に保持された壁材の一部が鏝板の基端辺から側方に流出して、移動する鏝板の後ろに逐次形成される塗装面の側方に連綿として続く壁材の盛り上がり部が形成される。ここで、従来の鏝板のように、側端（側辺）が直線状に後端（基端辺）に接続していると、側端と後端とにより形成された角部によって、急峻な壁材の盛り上がり部が形成され、この急峻な壁材の盛り上がり部と塗装面との間に明瞭な境界線が形成される。この壁材の盛り上がり部は次回の塗装によって均されるが、その際にこの明瞭な境界線が線状の凹部からなる筋として残る。
【００１４】
しかし、上記構成では、第１逃げ辺が、第１接続点から基端辺の他端側に曲がった後、直線状に第１頂部まで延びるとともに、第２逃げ辺が第２接続点から基端辺の一端側に曲がった後直線状に第２頂部まで延びているので、上述のように、鏝板を、後側の側辺と塗装対象面との間に所望の隙間を有するように前方に傾けて左官鏝を移動させる場合、後側の逃げ辺と塗装対象面との間には、後側の側辺と塗装対象面との間の所望の隙間より大きい隙間が形成される。これにより、鏝板の底面と塗装対象面との間に保持された壁材の一部がこの所望の隙間より大きい隙間から流出するとともに基端辺からも壁材が側方に流出する。その結果、移動する鏝板の後ろに後側の側辺によって逐次形成される塗装面の側方に、後側の逃げ辺によって逐次形成される連綿として続く緩やかな壁材の盛り上がり部と、基端辺によって逐次形成される連綿として続く急な壁材の盛り上がり部とが隣接して形成される。これら２つの壁材の盛り上がり部は次回の塗装によって均されるが、塗装面と緩やかな壁材の盛り上がり部との境界、及び緩やかな壁材の盛り上がり部と急な壁材の盛り上がり部との境界は明瞭でないので、その際にこれらの境界は筋として残らない。よって、塗装面に壁材の引き伸ばし方向に延びる筋が形成されることを低減することができる。しかも、第１頂部の近傍部分及び第２頂部の近傍部分によって、壁塗り対象である壁の隅に壁材を隈なく塗り付けることができる。
【００１５】
平面視において、前記第１側辺が前記第１垂直線に対し前記基端辺の他端側に、０．５度乃至１５度傾斜しており、且つ、前記第２側辺が前記第２垂直線に対し前記基端辺の一端側に０．５度乃至１５度傾斜していてもよい。
【００１６】
この構成によれば、中塗り、仕上げ塗り、及び薄塗り作業をし易い鏝板及びそれを用いた左官鏝を実現できる。
【００１７】
平面視において、前記基端辺に平行な方向における、前記第１逃げ辺の両端間の距離が、０．３ｍｍ乃至５ｍｍであり、且つ、前記基端辺に平行な方向における、前記第２逃げ辺の両端間の距離が、０．３ｍｍ乃至５ｍｍであってもよい。
【００１８】
この構成によれば、塗装面との境界及び急な壁材の盛り上がり部との境界がより明瞭でなくなるので、塗面に壁材の引き伸ばし方向に延びる筋をより低減することができる。
【００１９】
平面視において、前記基端辺に垂直な方向における、前記第１逃げ辺の両端間の距離が３ｍｍ乃至３０ｍｍであり、且つ、前記基端辺に垂直な方向における、前記第２逃げ辺の両端間の距離が３ｍｍ乃至３０ｍｍであってもよい。
【００２０】
この構成によれば、塗装面との境界及び急な壁材の盛り上がり部との境界がさらに明瞭でなくなるので、塗面に壁材の引き伸ばし方向に延びる筋をさらに低減することができる。
【００２１】
平面視において、前記基端辺に垂直な方向における、前記第３逃げ辺の両端間の距離が、０．３ｍｍ乃至５ｍｍであり、且つ、前記基端辺に垂直な方向における、前記第４逃げ辺の両端間の距離が、０．３ｍｍ乃至５ｍｍであってもよい。
【００２２】
この構成によれば、鏝板を塗装対象の壁の下端を区画する仕切り部材に沿って隅部へ移動させる際に、鏝板の頂部が仕切り部材に引っ掛かることを低減することができる。
【００２３】
平面視において、前記基端辺に平行な方向における、前記第３逃げ辺の両端間の距離が３ｍｍ乃至３０ｍｍであり、且つ、前記基端辺に平行な方向における、前記第４逃げ辺の両端間の距離が３ｍｍ乃至３０ｍｍであってもよい。
【００２４】
この構成によれば、鏝板を塗装対象の壁の下端を区画する仕切り部材に沿って隅部へ移動させる際に、鏝板の頂部が仕切り部材に引っ掛かることをより低減することができる。
【００２５】
平面視において、前記基端辺を２等分する当該基端辺に垂直な直線について対称であってもよい。
【００２６】
この構成によれば、左官鏝を側方に移動させる際に、互いに反対な方向において、左官鏝を同じように動かせば良いので、壁塗り作業がし易くなる。
【００２７】
また、本発明の他の態様（aspect）に係る左官鏝は、上記のいずれかの鏝板が、連結部材によって柄に連結されている。
【００２８】
この構成によれば、塗面に壁材の引き伸ばし方向に延びる筋が形成されることを低減することが可能な左官鏝を実現することができる。
【発明の効果】
【００２９】
本発明によれば、塗面に壁材の引き伸ばし方向に延びる筋が形成されることを低減することが可能な鏝板及びそれを用いた左官鏝を提供することができる。
【図面の簡単な説明】
【００３０】
【図１】図１は、本発明の実施形態１に係る鏝板及び左官鏝の構成の一例を示す斜視図である。
【図２】図２は、図１の鏝板の形状の一例を示す平面図である。
【図３】図３は、図２の鏝板の第１逃げ辺及び第１頂部の形状を詳細に示す平面図である。
【図４】図４は、図１の左官鏝による壁材の塗装方法を示す模式図である。
【図５】図５は、図１の左官鏝の作用効果を比較例の左官鏝と対比して示す模式図であって、（ａ）は比較例の左官鏝による塗装の様子を示す図、（ｂ）は図１の左官鏝による塗装の様子を示す図である。
【図６】図６は、本発明の実施形態２に係る鏝板の形状の一例を示す平面図である。
【図７】図７は、図６の鏝板の第１逃げ辺、第１頂部、及び第３逃げ辺の形状を詳細に示す平面図である。
【発明を実施するための形態】
【００３１】
以下、本発明の実施形態について、添付図面を参照しつつ説明する。以下では、全ての図を通じて、同一又は相当する要素には同一の参照符号を付してその重複する説明を省略する。また、以下の図は本発明を説明するための図であるので、本発明に無関係の要素が省略される場合、簡略化される場合、誇張される場合、又は複数の図が互いに一致しない場合がある。
【００３２】
（実施形態１）
［構成］
図１は、本発明の実施形態１に係る鏝板１Ａ及び左官鏝１０の構成の一例を示す斜視図である。図１を参照すると、実施形態１に係る鏝板１Ａは左官鏝１０に用いられる。実施形態１に係る左官鏝１０は、鏝板１Ａが連結部材２によって柄３に連結されて成る。鏝板１Ａは、鏝板１Ａの基端から先端に向かう方向が柄３の後端から前端に向かう方向となるように連結部材２によって柄３に連結される。
【００３３】
柄３の形状及び材料は、特に限定されず、公知の形状及び材料を採用することができる。柄３は、ここでは、円柱状に形成され、木製である。
【００３４】
連結部材２の形状及び材料は、特に限定されず、公知の形状及び材料を採用することができる。連結部材２は、ここでは、鏝板１Ａを固定するための金属製の板状の固定部材２ａとこの固定部材２ａを柄３に取り付ける金属製の柱状の取付部材２ｂとを含む。鏝板１Ａは、例えば、接着材によって固定部材２ａに固定される。固定部材２ａは、例えば、溶接によって取付部材２ｂの下端部に取り付けられる。取付部材２ｂの上端部は、例えば、係合構造によって柄３に取り付けられる。
【００３５】
平面視における鏝板１Ａ上の柄３の位置は任意であり、左官鏝１０の用途に応じて適宜決定される。ここでは、柄３は、鏝板１Ａの幅方向（基端辺１１の延在方向）の中央部であって且つ鏝板１Ａの長手方向（基端から先端に向かう方向）における下半部に位置している。しかし、例えば、平面視において、柄３の後部が、鏝板１Ａの後方にはみ出していたり、柄３の前部が、鏝板１Ａの前方にはみ出していたり、柄３が鏝板１Ａの幅方向のいずれかの端部に位置していたりしてもよい。
【００３６】
また、鏝板１Ａと柄３の相対的な姿勢は任意であり、左官鏝１０の用途に応じて適宜決定される。ここでは、柄３は鏝板１Ａに対して正立（直立）している。しかし、例えば、柄３が、鏝板１Ａに対して、いずれかの方向に傾いていてもよい。
【００３７】
鏝板１Ａの材料は特に限定されず、公知の材料を用いることができる。鏝板１Ａの材料として、金属、合成樹脂、木等が例示される。鏝板１Ａは、ここでは金属製とされる。
【００３８】
鏝板１Ａは、平板状に形成される。鏝板１Ａは、ここでは、金属製の薄板で構成される。
【００３９】
次に、鏝板１Ａを詳しく説明する。
【００４０】
図２は、図１の鏝板１Ａの形状の一例を示す平面図である。図３は、図２の鏝板の第１逃げ辺及び第１頂部の形状を詳細に示す平面図である。図２及び図３において、鏝板１Ａの外周を示す線（輪郭線）における黒色のドットは、各辺とそれに隣接する辺との接続点、換言すると、各辺の端を示す。このことは、後述する図６及び図７においても同様である。
【００４１】
また、本明細書及び特許請求の範囲では鏝板１Ａの外周における変曲点で区画された部分を「辺」と呼ぶ。これは、鏝板１Ａが平板状であることから、鏝板１Ａの平面視における形状を幾何学の概念を用いて特定する方が理解し易いからである。鏝板１Ａの「辺」は、鏝板１Ａの「端」又は「縁」と同義である。
【００４２】
図２を参照すると、鏝板１Ａは、平面視において、直線状の基端辺１１と、基端辺１１に対向するように延在する先端辺１２と、第１頂部１３と、第２頂部１４と、第１頂部１３から先端辺１２の一端へ順に接続されて延びる第１逃げ辺１５及び第１側辺１６と、第２頂部１４から先端辺１２の他端へ順に接続されて延びる第２逃げ辺１７及び第２側辺１８と、を有する形状に形成されている。
【００４３】
先端辺１２の形状は任意であり、左官鏝１０の用途に応じて適宜決定される。先端辺１２の形状として、直線状、円弧状、逆Ｖ字状等が例示される。ここでは、先端辺１２の形状は逆Ｖ字状である。
【００４４】
第１頂部１３及び第２頂部１４は、鏝板１Ａの角部（隅部）を意味する。第１頂部１３及び第２頂部１４は、面取されている角部と面取りされていない角部との双方を含む。第１頂部１３及び第２頂部１４は、面取りされている角部であることが好ましい。第１頂部１３及び第２頂部１４が、面取りされていない角部である場合、第１頂部１３及び第２頂部１４は、２つの辺の交点（頂点）である。２つの辺は、第１頂部１３の場合、第１逃げ辺１５及び基端辺１１であり、第２頂部１４の場合、第２逃げ辺１７及び基端辺１１である。面取りの形状は、円弧状、直線状、適宜な曲線状等のいずれであってもよい。
【００４５】
ここでは、図３に示すように、第１頂部１３は、円弧状に面取りされた角部である。第２頂部１４も同様に面取りされた角部である。
【００４６】
第１側辺１６及び第２側辺１８は、それぞれ直線状に延在している。第１側辺１６は、第１側辺１６と第１逃げ辺１５との接続点である第１接続点１９を通る基端辺１１に垂直な第１垂直線１０１と一致するか第１垂直線１０１に対し基端辺１１の他端側に傾斜している。第２側辺１８は、第２側辺１８と第２逃げ辺１７との接続点である第２接続点２０を通る基端辺１１に垂直な第２垂直線１０２と一致するか第２垂直線１０２に対し基端辺１１の一端側に傾斜している。換言すると、鏝板１Ａは、先端辺の両端を結ぶ直線と先端辺とによって囲まれる領域を除く部分（以下、主塗装部という）が矩形状又は台形状に形成されている。
【００４７】
この構成は、鏝板１Ａが、少なくとも、壁の中塗り及び仕上げ塗りを行うことが可能な鏝板であることを規定する構成である。この構成を備える理由は、本発明は、壁の中塗り及び仕上げ塗りに固有な課題を解決することが目的であり、他の用途の鏝板には本発明の課題は問題にならないからである。
【００４８】
また、この構成によって、鏝板１Ａが、少なくとも、壁の中塗り及び仕上げ塗りを行うことが可能な鏝板であると規定される理由は、以下の通りである。
【００４９】
第１に、後述するように、第１側辺１６及び第２側辺１８が直線状でないと、後側の側辺と塗装対象面との間の隙間が側辺の長手方向において一定にならず、ひいては、塗装された壁材の厚みが一定にならないからである。
【００５０】
第２に、後述するように、壁塗り作業は、左官鏝１０を、その左右方向に直線的に移動させる鏝操作の前後に、鏝板１Ａの先端側を、基端側に対し左右に回転させる鏝操作を伴う。一方、左官鏝１０の柄３は鏝板１Ａの基端辺に垂直な方向に延在している。このため、第１側辺１６が、当該第１側辺１６と第１逃げ辺１５との接続点である第１接続点１９を通る基端辺１１に垂直な第１垂直線１０１と一致するか第１垂直線１０１に対し基端辺１１の他端側に傾斜していて、且つ第２側辺１８が、当該第２側辺１８と第２逃げ辺１７との接続点である第２接続点２０を通る基端辺１１に垂直な第２垂直線１０２と一致するか第２垂直線１０２に対し基端辺１１の一端側に傾斜していないと、鏝板１Ａの先端側を十分に回転させることができないからである。
【００５１】
ここでは、第１側辺１６は、第１垂直線１０１に対し基端辺１１の他端側に傾斜している。この傾斜角度θ１は、０．５度乃至１５度であることが好ましい。第２側辺１８は、第２垂直線１０２に対し基端辺１１の一端側に傾斜している。この傾斜角度θ２は、０．５度乃至１５度であることが好ましい。この構成により、中塗り、仕上げ塗り、及び薄塗り作業をし易い鏝板及びそれを用いた左官鏝を実現できる。
【００５２】
次に、実施形態１の技術的特徴である第１逃げ辺１５及び第２逃げ辺１７について詳しく説明する。
【００５３】
第１逃げ辺１５は、第１接続点１９から基端辺１１の他端側に曲がった後、直線状に第１頂部１３まで延びている。第２逃げ辺１７は、第２接続点２０から基端辺１１の一端側に曲がった後、直線状に第２頂部１４まで延びている。
【００５４】
図２及び図３を参照すると、第１頂部１３は、基端辺１１の一端１１ａに直接接続されている。第２頂部１４は、基端辺１１の他端（図２及び図３に示さず）に直接接続されている。
【００５５】
平面視において、基端辺１１に平行な方向における、第１逃げ辺１５の両端間の距離（寸法）Ａ１は、０．３ｍｍ乃至５ｍｍであることが好ましい。基端辺１１に平行な方向における、第２逃げ辺１７の両端間の距離（寸法）Ａ２は、０．３ｍｍ乃至５ｍｍであることが好ましい。
【００５６】
平面視において、基端辺１１に垂直な方向における、第１逃げ辺１５の両端間の距離（寸法）Ｂ１は、３ｍｍ乃至３０ｍｍであることが好ましい。基端辺１１に垂直な方向における、第２逃げ辺１７の両端間の距離（寸法）Ｂ２は、３ｍｍ乃至３０ｍｍであることが好ましい。
【００５７】
これらの寸法Ａ１、Ａ２、Ｂ１、及びＢ２は、鏝板１Ａが大きくなると若干大きくなるが、鏝板１Ａの大きさに比例して大きくなるのではなく、むしろ、固定値に近い。つまり、逃げ辺は、具体的な数値が重要である。
【００５８】
この実施形態１の技術的特徴が奏する作用効果は、後で詳しく説明する。
【００５９】
鏝板１Ａは、平面視において、基端辺１１を２等分する基端辺１１に垂直な直線１０３について対称であってもよい。ここでは、鏝板１Ａは、平面視において、基端辺１１を２等分する基端辺１１に垂直な直線１０３について対称である。この構成によれば、左官鏝１０を側方に移動させる際に、互いに反対な方向において、左官鏝１０を同じように動かせば良いので、壁塗り作業がし易くなる。
【００６０】
［使用方法］
次に、以上のように構成された左官鏝１０の使用方法を、図４を用いて説明する。図４は、図１の左官鏝１０による壁材の塗装方法を示す模式図である。図４においては、便宜上、図面上方向及び下方向を壁塗り作業における上方向及び下方向と呼び、図面左方向及び右方向を壁塗り作業における左方向及び右方向と呼ぶ。なお、壁材は公知のものが使用される。壁材として、漆喰、珪藻土、聚楽土、モルタル、ジョリパッド等が例示される。
【００６１】
図４において、参照符号５６〜５９は、壁塗り作業における左官鏝１０の移動経路（以下、鏝移動経路という）を示す。参照符号１０−ａ〜１０−ｌは、鏝移動経路５６〜５９の始点、方向転換点、及び終点における左官鏝１０の位置を示す。図４には、作業者が右利きである場合の壁塗り作業が例示されている。作業者が左利きである場合、以下の説明における左右が反対になる。
【００６２】
鏝移動経路５６〜５８は、壁材の塗り付けを伴う鏝移動経路を示し、鏝移動経路５９は、壁材の塗り付けを伴わない、仕上げの鏝移動経路を示す。
【００６３】
壁材の塗り付けを伴う鏝移動経路５６〜５８のうち、鏝移動経路５６は、１回目の順方向（作業者の左から右へ向かう方向）の壁材の塗り付け（以下、単に塗り付けという）鏝移動経路を示し、鏝移動経路５７は、２回目の逆方向（作業者の右から左へ向かう方向）の塗り付けの鏝移動経路を示し、鏝移動経路５７は、２回目の順方向の塗り付けの鏝移動経路を示す。
【００６４】
図１及び図４を参照すると、壁材の塗り付けを行う場合、作業者は、通常、壁５１の上から下へと塗装する。また、作業者は、左官鏝１０を常にその側方に移動させるように左官鏝１０を操作する。さらに、作業者は、壁材の塗装方向（引き伸ばし方向）において、前側の側辺（第１側辺１６又は第２側辺１８）が後側の側辺（第２側辺１８又は第１側辺１６）より塗装対象面から若干大きく離れるように鏝板１Ａを傾け、後側の側辺と塗装対象面との間に所望の隙間を有するようにして左官鏝１０を移動させる。これにより、壁材を所望の厚みに塗装する（引き延ばす）。
【００６５】
具体的には、作業者は、まず、左官鏝１０を鏝移動経路５６に沿って移動させる。すなわち、壁５１の左上部の始点位置１０−ａに、左官鏝１０を左右方向に延在するように位置させ、壁材を鏝板１Ａの底面（前面）に乗せる。次いで、左官鏝１０を、壁５１に当てて壁材を引き伸ばしながら右側に回転させて、方向転換点位置１０−ｂに位置させる。次いで、左官鏝１０を、壁材を引き伸ばしながら、終点位置１０−ｃまで移動させる。これにより、鏝移動経路上に壁材が塗り付けられる。この際、鏝板１Ａの第１側辺の両側に壁材の盛り上がり部が形成される。
【００６６】
次いで、作業者は、左官鏝１０を所定距離Ｄ１だけ上方に移動させ、その後、左官鏝１０を鏝移動経路５７に沿って移動させる。すなわち、まず、左官鏝を始点位置１０−ｄに位置させ、壁材を引き伸ばしながら左官鏝１０を方向転換点位置１０−ｅまで移動させる。次いで、左官鏝１０を左側に回転させて、左官鏝１０を左右方向に延在するように終点位置１０−ｆに位置させる。これにより、順方向の塗り付けにより鏝板１Ａの第１側辺の上側に形成された壁材の盛り上がり部が均される。この際、鏝板１Ａの先端部が逆Ｖ字状に形成されているので、順方向の塗り付けにおける当該壁材の盛り上がり部と塗装面との境界が逆方向の塗装面に筋として残ることはない。
【００６７】
次いで、作業者は、鏝移動経路５８の終点位置１０−ｉが、移動経路５６上の終点位置１０−ｃに対して鏝板１Ａの主塗装部が所定距離Ｄ２だけ重複するようにして下方にずれるように、左官鏝１０を、２回目の順方向移動経路５７の始点位置１０−ｇに位置させる。そして、左官鏝１０の底面に壁材を載せて、１回目の順方向の塗り付け同様に２回目の順方向の塗り付けを行う。これにより、順方向の塗り付けにより鏝板１Ａの第１側辺の下側に形成された壁材の盛り上がり部が均される。この際の作用効果は、図５を用いて後述する。
【００６８】
以降、必要な回数だけ、順方向の塗り付け及び逆方向の塗り付けが、繰り返し行われる。その後、左官鏝１０の鏝板１Ａの基端の両側の角部（第１頂部１３の近傍部分及び第２頂部１４の近傍部分）によって、壁５１の隅に壁材が隈なく塗り付けられる。その後、塗装面の仕上げが行われる。この作業は、例えば、鏝移動経路５９に沿って、左官鏝１０を、始点位置１０−ｉから方向転換点位置１０−ｋを経て終点位置１０−ｌへと移動させるようにして行われる。
【００６９】
［作用効果］
次に、以上のように構成され且つ使用される左官鏝１０の作用効果（鏝板１Ａの作用効果でもある）を説明する。
【００７０】
図５は、図１の左官鏝１０の作用効果を比較例の左官鏝３０と対比して示す模式図であって、（ａ）は比較例の左官鏝３０による塗装の様子を示す図、（ｂ）は図１の左官鏝１０による塗装の様子を示す図である。比較例の左官鏝３０は従来の左官鏝である。図５では、理解を容易にするために、壁材４０の盛り上がり部４３が大きく誇張して描かれている。
【００７１】
図５（ａ）及び図５（ｂ）を参照すると、上述のように、鏝板（１Ａ，３１）を塗装方向（矢印で示す）における前方に傾けて壁材４０を塗装する（引き延ばす）場合、前方に傾いた鏝板（１Ａ，３１）の底面と塗装対象面との間に壁材４０が保持され、且つ、その壁材４０の一部が鏝板（１Ａ，３１）の後側の側辺と塗装対象面との間の隙間から流出することによって、当該壁材４０が塗装対象面に塗装される（塗り付けられる）。一方、鏝板（１Ａ，３１）の底面と塗装対象面との間に保持された壁材４０の一部が鏝板（１Ａ，３１）の基端辺（基端）から側方に流出して、移動する鏝板（１Ａ，３１）の後ろに逐次形成される塗装面４１の側方に連綿として続く壁材４０の盛り上がり部４３が形成される。
【００７２】
図５（ａ）を参照すると、比較例（従来）の左官鏝３０の場合、鏝板３１において、側端（側辺）が直線状に後端（基端辺）に接続している。このため、側端と後端とにより形成された角部３１ａによって、急峻な壁材４０の盛り上がり部４３が形成され、この急峻な壁材４０の盛り上がり部４３と塗装面４１との間に明瞭な境界線４２が形成される。この壁材の盛り上がり部４３は次回の塗装によって均されるが、その際にこの明瞭な境界線４２が線状の凹部からなる筋として残る。
【００７３】
図２及び図５（ｂ）を参照すると、実施形態１の左官鏝１０の場合、鏝板１Ａにおいて、第１逃げ辺１５が、第１側辺１６との接続点である第１接続点１９から基端辺１１の他端側に曲がった後、直線状に第１頂部１３まで延びるとともに、第２逃げ辺１７が、第２側辺１８との接続点である第２接続点２０から基端辺１１の一端側に曲がった後、直線状に第２頂部１４まで延びているので、上述のように、鏝板１Ａを、後側の側辺（第１側辺１６又は第２側辺１８）と塗装対象面との間に所望の隙間を有するように前方に傾けて左官鏝１０を移動させる場合、後側の逃げ辺（第１逃げ辺１５又は第２逃げ辺１７）と塗装対象面との間には、後側の側辺（第１側辺１６又は第２側辺１８）と塗装対象面との間の所望の隙間より大きい隙間が形成される。これにより、鏝板１Ａの底面と塗装対象面との間に保持された壁材４０の一部がこの所望の隙間より大きい隙間から流出するとともに基端辺１１からも壁材４０が側方に流出する。
【００７４】
その結果、移動する鏝板１Ａの後ろに後側の側辺（第１側辺１６又は第２側辺１８）によって逐次形成される塗装面４１の側方に、後側の逃げ辺（第１逃げ辺１５又は第２逃げ辺１７）によって逐次形成される連綿として続く緩やかな壁材４０の盛り上がり部４４と、基端辺１１によって逐次形成される連綿として続く急な壁材４０の盛り上がり部４３とが隣接して形成される。これら２つの壁材４０の盛り上がり部４３、４４は次回の塗装によって均されるが、塗装面４１と緩やかな壁材４０の盛り上がり部４４との境界４５、及び緩やかな壁材４０の盛り上がり部４４と急な壁材４０の盛り上がり部４３との境界４６は明瞭でないので、その際にこれらの境界は筋として残らない。よって、塗装面４１に壁材４０の引き伸ばし方向に延びる筋が形成されることを低減することができる。しかも、第１頂部１３の近傍部分及び第２頂部１４の近傍部分によって、壁塗り対象である壁の隅に壁材を隈なく塗り付けることができる。
【００７５】
［実施例１］
図２を参照すると、本発明の実施例１に係る左官鏝１０に用いられる鏝板１Ａは、以下の寸法を有する。
長さＣは、２１５ｍｍである。基部の幅Ｄ及び上部の幅Ｅは、それぞれ、６３ｍｍ及び５４ｍｍである。
【００７６】
第１側辺１６の第１垂直線１０１に対する傾斜角度θ１は、約２度であり、第２側辺１８の第２垂直線１０２に対する傾斜角度θ２は、約２度である。
逆Ｖ字状の先端辺１２の曲面を規定する曲率半径Ｆ及び曲率半径Ｇは、それぞれ、１９５ｍｍ及び３０ｍｍである。先端辺１２の先端の面取りの曲率半径は０．４ｍｍである。第１頂部１３及び第２頂部１４の面取りの曲率半径は、共に０．４ｍｍである。
【００７７】
基端辺１１に平行な方向における、第１逃げ辺１５の両端間の寸法Ａ１は、０．５ｍｍであり、基端辺１１に平行な方向における、第２逃げ辺１７の両端間の寸法Ａ２は、０．５ｍｍである。
【００７８】
基端辺１１に垂直な方向における、第１逃げ辺１５の両端間の寸法Ｂ１は、８ｍｍであり、基端辺１１に垂直な方向における、第２逃げ辺１７の両端間の寸法Ｂ２は、８ｍｍである。
【００７９】
この実施例１によれば、塗装面４１に壁材４０の引き伸ばし方向に延びる筋を好適に低減することができる。
【００８０】
（実施形態２）
本発明の実施形態２に係る左官鏝及び鏝板１Ｂは、以下の点において、実施形態１に係る左官鏝１０及び鏝板１Ａと相違し、その他の点は、実施形態１の左官鏝１０及び鏝板１Ａと同じである。以下、この相違点を説明する。
【００８１】
図６は、本発明の実施形態２に係る鏝板１Ｂの形状の一例を示す平面図である。図７は、図６の鏝板１Ａの第１逃げ辺１５、第１頂部１３、及び第３逃げ辺２１の形状を詳細に示す平面図である。
【００８２】
図６及び図７を参照すると、実施形態２の鏝板１Ｂでは、第１頂部１３が基端辺１１の一端１１ａに第３逃げ辺２１によって接続されている。また、第２頂部１４が基端辺１１の他端（図２及び図３に示さず）に第４逃げ辺２２によって接続されている。
第３逃げ辺２１は、基端辺１１の一端１１ａから先端辺１２側に曲った後、第１頂部１３まで直線状に延びている。第４逃げ辺２２は、基端辺１１の他端から先端辺１２側に曲った後、第２頂部１４まで直線状に延びている。
【００８３】
平面視において、基端辺１１に垂直な方向における、第３逃げ辺２１の両端間の距離（寸法）Ｈ１は、０．３ｍｍ乃至５ｍｍであることが好ましい。基端辺１１に垂直な方向における、第４逃げ辺２２の両端間の距離（寸法）Ｈ２は、０．３ｍｍ乃至５ｍｍであることが好ましい。
【００８４】
平面視において、基端辺１１に平行な方向における、第３逃げ辺２１の両端間の距離（寸法）Ｊ１は、３ｍｍ乃至３０ｍｍであることが好ましい。基端辺１１に平行な方向における、第４逃げ辺２２の両端間の距離（寸法）Ｊ２は、３ｍｍ乃至３０ｍｍであることが好ましい。
【００８５】
この実施形態２によれば、鏝板１Ｂを塗装対象の壁の下端を区画する仕切り部材に沿って隅部へ移させる際に、鏝板１Ｂの頂部１３、１４が仕切り部材に引っ掛かることを低減することができる。
【００８６】
［実施例２］
図７を参照すると、本発明の実施例２に係る左官鏝に用いられる鏝板１Ｂは、以下の点で実施例１の鏝板１Ａと相違し、その他の点は、実施例１の鏝板１Ａと同じである。以下、この相違点を説明する。
【００８７】
実施例２の鏝板１Ｂでは、基端辺１１に垂直な方向における、第３逃げ辺２１の両端間の寸法Ｈ１は、０．５ｍｍであり、基端辺１１に垂直な方向における、第４逃げ辺２２の両端間の寸法Ｈ２は、０．５ｍｍである。
【００８８】
基端辺１１に平行な方向における、第３逃げ辺２１の両端間の寸法Ｊ１は、８ｍｍであり、基端辺に平行な方向における、第４逃げ辺２２の両端間の寸法Ｊ２は、８ｍｍである。
【００８９】
この実施例２によれば、鏝板１Ｂを塗装対象の壁の下端を区画する仕切り部材に沿って隅部へ移させる際に、鏝板１Ｂの頂部１３、１４が仕切り部材に引っ掛かることを好適に低減することができる。
【００９０】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造および／又は機能の詳細を実質的に変更できる。
【産業上の利用可能性】
【００９１】
本発明の鏝板及びそれを用いた左官鏝は、塗装面に壁材の引き伸ばし方向に延びる筋が形成されることを低減することが可能な鏝板及びそれを用いた左官鏝として有用である。
【符号の説明】
【００９２】
１Ａ，１Ｂ  鏝板
２  連結部材
３  柄
１０  左官鏝
１１  基端辺
１２  先端辺
１３  第１頂部
１４  第２頂部
１５  第１逃げ辺
１６  第１側辺
１７  第２逃げ辺
１８  第２側辺
１９  第１接続点
２０  第２接続点
２１  第３逃げ辺
２２  第４逃げ辺
４０  壁材
４１  塗装面
４２  境界線
４３  盛り上がり部
４４  盛り上がり部
４５  境界
４６  境界
５１  壁
５６〜５  鏝移動経路
１０１  第１垂直線
１０２  第２垂直線
１０３  直線
【図１】
2019120011.tif 000003
【図２】
2019120011.tif 000004
【図３】
2019120011.tif 000005
【図４】
2019120011.tif 000006
【図５】
2019120011.tif 000007
【図６】
2019120011.tif 000008
【図７】
2019120011.tif 000009
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
左官鏝に用いられる鏝板であって、
平板状に形成されており、
平面視において、
直線状の基端辺と、前記基端辺に対向するように延在する先端辺と、第１頂部と、第２頂部と、前記第１頂部から前記先端辺の一端へ順に接続されて延びる第１逃げ辺及び第１側辺と、前記第２頂部から前記先端辺の他端へ順に接続されて延びる第２逃げ辺及び第２側辺と、を有する形状に形成されており、
前記第１側辺及び前記第２側辺がそれぞれ直線状に延在しており、
前記第１側辺が、当該第１側辺と前記第１逃げ辺との接続点である第１接続点を通る前記基端辺に垂直な第１垂直線と一致するか当該第１垂直線に対し当該基端辺の他端側に傾斜しており、
前記第２側辺が、当該第２側辺と前記第２逃げ辺との接続点である第２接続点を通る前記基端辺に垂直な第２垂直線と一致するか当該第２垂直線に対し当該基端辺の一端側に傾斜しており、
前記第１逃げ辺が、前記第１接続点から前記基端辺の他端側に曲がった後、直線状に前記第１頂部まで延びるとともに、前記第２逃げ辺が前記第２接続点から前記基端辺の一端側に曲がった後、直線状に前記第２頂部まで延びており、且つ、
前記第１頂部が前記基端辺の一端に直接接続されるとともに前記第２頂部が前記基端辺の他端に直接接続されているか、又は前記第１頂部が前記基端辺の一端に第３逃げ辺によって接続されるとともに前記第２頂部が前記基端辺の他端に第４逃げ辺によって接続されており、
前記第１頂部が前記基端辺の一端に第３逃げ辺によって接続されるとともに前記第２頂部が前記基端辺の他端に第４逃げ辺によって接続されている場合、前記第３逃げ辺が前記基端辺の一端から前記先端辺側に曲った後、前記第１頂部まで直線状に延びるとともに、前記第４逃げ辺が前記基端辺の他端から前記先端辺側に曲った後、前記第２頂部まで直線状に延びており、
平面視において、前記第１側辺が前記第１垂直線に対し前記基端辺の他端側に、０．５度乃至１５度傾斜しており、且つ、前記第２側辺が前記第２垂直線に対し前記基端辺の一端側に０．５度乃至１５度傾斜しており、
平面視において、前記基端辺に平行な方向における、前記第１逃げ辺の両端間の距離が、０．３ｍｍ乃至５ｍｍであり、且つ、前記基端辺に平行な方向における、前記第２逃げ辺の両端間の距離が、０．３ｍｍ乃至５ｍｍであり、
平面視において、前記基端辺に垂直な方向における、前記第１逃げ辺の両端間の距離が３ｍｍ乃至３０ｍｍであり、且つ、前記基端辺に垂直な方向における、前記第２逃げ辺の両端間の距離が３ｍｍ乃至３０ｍｍであり、且つ、
平面視において、前記基端辺に垂直な方向における、前記第３逃げ辺の両端間の距離が、０．３ｍｍ乃至５ｍｍであり、且つ、前記基端辺に垂直な方向における、前記第４逃げ辺の両端間の距離が、０．３ｍｍ乃至５ｍｍである、鏝板。
【請求項２】
平面視において、前記基端辺に平行な方向における、前記第３逃げ辺の両端間の距離が３ｍｍ乃至３０ｍｍであり、且つ、前記基端辺に平行な方向における、前記第４逃げ辺の両端間の距離が３ｍｍ乃至３０ｍｍである、請求項１に記載の鏝板。
【請求項３】
平面視において、前記基端辺を２等分する当該基端辺に垂直な直線について対称である、請求項１又は２に記載の鏝板。
【請求項４】
請求項１乃至３のいずれかに記載された鏝板が、連結部材によって柄に連結されている、左官鏝。
【手続補正２】
【補正対象書類名】明細書
【補正対象項目名】０００６
【補正方法】変更
【補正の内容】
【０００６】
上記課題を解決するために、本発明のある態様（aspect）に係る鏝板は、左官鏝に用いられる鏝板であって、平板状に形成されており、平面視において、直線状の基端辺と、前記基端辺に対向するように延在する先端辺と、第１頂部と、第２頂部と、前記第１頂部から前記先端辺の一端へ順に接続されて延びる第１逃げ辺及び第１側辺と、前記第２頂部から前記先端辺の他端へ順に接続されて延びる第２逃げ辺及び第２側辺と、を有する形状に形成されており、前記第１側辺及び前記第２側辺がそれぞれ直線状に延在しており、前記第１側辺が、当該第１側辺と前記第１逃げ辺との接続点である第１接続点を通る前記基端辺に垂直な第１垂直線と一致するか当該第１垂直線に対し当該基端辺の他端側に傾斜しており、前記第２側辺が、当該第２側辺と前記第２逃げ辺との接続点である第２接続点を通る前記基端辺に垂直な第２垂直線と一致するか当該第２垂直線に対し当該基端辺の一端側に傾斜しており、前記第１逃げ辺が、前記第１接続点から前記基端辺の他端側に曲がった後直線状に前記第１頂部まで延びるとともに前記第２逃げ辺が前記第２接続点から前記基端辺の一端側に曲がった後直線状に前記第２頂部まで延びており、且つ、前記第１頂部が前記基端辺の一端に直接接続されるとともに前記第２頂部が前記基端辺の他端に直接接続されているか、又は前記第１頂部が前記基端辺の一端に第３逃げ辺によって接続されるとともに前記第２頂部が前記基端辺の他端に第４逃げ辺によって接続されており、前記第１頂部が前記基端辺の一端に第３逃げ辺によって接続されるとともに前記第２頂部が前記基端辺の他端に第４逃げ辺によって接続されている場合、前記第３逃げ辺が前記基端辺の一端から前記先端辺側に曲った後、前記第１頂部まで直線状に延びるとともに、前記第４逃げ辺が前記基端辺の他端から前記先端辺側に曲った後、前記第２頂部まで直線状に延びており、平面視において、前記第１側辺が前記第１垂直線に対し前記基端辺の他端側に、０．５度乃至１５度傾斜しており、且つ、前記第２側辺が前記第２垂直線に対し前記基端辺の一端側に０．５度乃至１５度傾斜しており、平面視において、前記基端辺に平行な方向における、前記第１逃げ辺の両端間の距離が、０．３ｍｍ乃至５ｍｍであり、且つ、前記基端辺に平行な方向における、前記第２逃げ辺の両端間の距離が、０．３ｍｍ乃至５ｍｍであり、平面視において、前記基端辺に垂直な方向における、前記第１逃げ辺の両端間の距離が３ｍｍ乃至３０ｍｍであり、且つ、前記基端辺に垂直な方向における、前記第２逃げ辺の両端間の距離が３ｍｍ乃至３０ｍｍであり、且つ、平面視において、前記基端辺に垂直な方向における、前記第３逃げ辺の両端間の距離が、０．３ｍｍ乃至５ｍｍであり、且つ、前記基端辺に垂直な方向における、前記第４逃げ辺の両端間の距離が、０．３ｍｍ乃至５ｍｍである。ここで、「頂部」は、鏝板の角部（隅部）を意味する。「頂部」は、面取されている角部と面取りされていない角部との双方を含む。頂部は、頂点を含む。面取りされていない場合、頂部は点になる。面取りは、曲線である。「直線状」は、「幾何学上の直線」の他、「目視で直線に見える曲線（例えば、中心角の非常に小さい円弧）」を含む。
【手続補正３】
【補正対象書類名】明細書
【補正対象項目名】００１６
【補正方法】変更
【補正の内容】
【００１６】
また、この構成によれば、中塗り、仕上げ塗り、及び薄塗り作業をし易い鏝板及びそれを用いた左官鏝を実現できる。
【手続補正４】
【補正対象書類名】明細書
【補正対象項目名】００１８
【補正方法】変更
【補正の内容】
【００１８】
また、この構成によれば、塗装面との境界及び急な壁材の盛り上がり部との境界がより明瞭でなくなるので、塗面に壁材の引き伸ばし方向に延びる筋をより低減することができる。
【手続補正５】
【補正対象書類名】明細書
【補正対象項目名】００２０
【補正方法】変更
【補正の内容】
【００２０】
また、この構成によれば、塗装面との境界及び急な壁材の盛り上がり部との境界がさらに明瞭でなくなるので、塗面に壁材の引き伸ばし方向に延びる筋をさらに低減することができる。
【手続補正６】
【補正対象書類名】明細書
【補正対象項目名】００２２
【補正方法】変更
【補正の内容】
【００２２】
また、この構成によれば、鏝板を塗装対象の壁の下端を区画する仕切り部材に沿って隅部へ移動させる際に、鏝板の頂部が仕切り部材に引っ掛かることを低減することができる。
【手続補正７】
【補正対象書類名】明細書
【補正対象項目名】００４４
【補正方法】変更
【補正の内容】
【００４４】
第１頂部１３及び第２頂部１４は、鏝板１Ａの角部（隅部）を意味する。第１頂部１３及び第２頂部１４は、面取されている角部と面取りされていない角部との双方を含む。第１頂部１３及び第２頂部１４は、面取りされている角部であることが好ましい。第１頂部１３及び第２頂部１４が、面取りされていない角部である場合、第１頂部１３及び第２頂部１４は、２つの辺の交点（頂点）である。２つの辺は、第１頂部１３の場合、第１逃げ辺１５及び基端辺１１であり、第２頂部１４の場合、第２逃げ辺１７及び基端辺１１である。面取りの形状は、円弧状又は適宜な曲線状であってもよい。
【手続補正８】
【補正対象書類名】明細書
【補正対象項目名】００１５
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２１
【補正方法】削除
【補正の内容】